(57)【要約】【課題】情報提供者の秘匿性に配慮して、第三者にプレゼンス情報を提供して利用可能にする。【解決手段】情報利用者側端末装置３２は、情報提供者を募集する広告および案内を情報提供者側端末装置２４へ送信し、情報提供者側端末装置２４と連携して応募受信および契約を支援し、情報提供者側端末装置２４から送信される情報提供者のプレゼンス情報を受信し、受信したプレゼンス情報の蓄積または統計処理を行い、受信したプレゼンス情報に対する報酬の支払を支援する。【選択図】            図１
2005031966.tif 000002
【特許請求の範囲】
【請求項１】
情報利用者側端末装置が情報提供者側端末装置の開示したプレゼンス情報を通信ネットワークを介して利用するプレゼンス情報利用方法であって、
情報利用者側端末装置は、
情報提供者を募集する広告および案内を情報提供者側端末装置へ送信する広告／案内ステップと、
情報提供者側端末装置と連携して応募受信および契約を支援する応募受信／契約ステップと、
契約後に情報提供者側端末装置から送信される情報提供者のプレゼンス情報を受信するプレゼンス情報受信ステップと、
受信した前記プレゼンス情報の蓄積または統計処理を行うプレゼンス情報蓄積または統計処理ステップと、
統計処理の結果に従って受信したプレゼンス情報に対する報酬の支払を支援する料金処理ステップと、を実施する
ことを特徴とするプレゼンス情報利用方法。
【請求項２】
情報提供者側端末装置が開示した情報提供者のプレゼンス情報を通信ネットワークを介して情報利用者側端末装置に利用させるプレゼンス情報利用方法であって、
情報提供者側端末装置は、
情報利用者側端末装置からの広告および案内に対する応募および契約を支援する応募／契約ステップと、
前記契約の内容および情報提供者のプレゼンス対象情報にもとづきプレゼンス情報を生成するプレゼンス情報生成ステップと、
生成されたプレゼンス情報を情報利用者側端末装置へ送信するプレゼンス情報送信ステップと、を実施する
ことを特徴とするプレゼンス情報利用方法。
【請求項３】
前記プレゼンス情報が、情報提供者の人情報、位置情報、行動情報、趣味情報および気持ち情報などの項目を含むことを特徴とする請求項１または２記載のプレゼンス情報利用方法。
【請求項４】
前記プレゼンス情報の複数の項目のうち、一部の項目が簡略化されることを特徴とする請求項１または２に記載のプレゼンス情報利用方法。
【請求項５】
前記プレゼンス情報が、意味的に複数段のレベルに分けて抽象化されて生成されることを特徴とする請求項１または２に記載のプレゼンス情報利用方法。
【請求項６】
前記プレゼンス情報中の情報提供者の人情報が、匿名化されて生成されることを特徴とする請求項１または２に記載のプレゼンス情報利用方法。
【請求項７】
報酬支払の料金処理では、プレゼンス対象情報の各項目ごとに、プレゼンス対象情報の抽象化レベル、匿名化の有無または情報利用者の情報提供要求度に応じた重み付けに従って、単位料金を決めることを特徴とする請求項１に記載のプレゼンス情報利用方法。
【請求項８】
前記報酬支払の料金処理では、プレゼンス対象情報の各項目ごとの単位料金にプレゼンス情報の開示時間および更新頻度を乗算し、各項目ごとの乗算結果を合算して情報提供料を決定することを特徴とする請求項７に記載のプレゼンス情報利用方法。
【請求項９】
情報提供者側端末装置が開示したプレゼンス情報を通信ネットワークを介して利用する情報利用者側端末装置であって、
情報提供者を募集する広告および案内を情報提供者側端末装置へ送信する広告／案内手段と、
情報提供者側端末装置と連携して応募受信および契約を支援する応募受信／契約手段と、
情報提供者側端末装置から送信される情報提供者のプレゼンス情報を受信するプレゼンス情報受信手段と、
受信した前記プレゼンス情報の蓄積または統計処理を行うプレゼンス情報蓄積または統計処理手段と、
統計処理の結果に従って、受信したプレゼンス情報に対する報酬の支払を支援する料金処理手段と、を備えた
ことを特徴とする情報利用者側端末装置。
【請求項１０】
情報提供者のプレゼンス情報を開示して通信ネットワークを介して情報利用者側端末装置に利用させる情報提供者側端末装置であって、
情報利用者側端末装置からの広告および案内に対して応募および契約を支援する応募／契約手段と、
前記契約の内容および情報提供者のプレゼンス対象情報にもとづきプレゼンス情報を生成するプレゼンス情報生成手段と、
生成されたプレゼンス情報を情報利用者側端末装置へ送信するプレゼンス情報送信手段と、を備えた
ことを特徴とする情報提供者側端末装置。
【発明の詳細な説明】
【０００１】
【発明の属する技術分野】
本発明は、人の気持ち、居場所、体重／脈拍／血圧等の生体情報等を含む状態、状況等のプレゼンス情報を、移動通信を含む通信ネットワークを使い、特定の相手に開示し利用を可能にするプレゼンス情報利用方法、情報利用者側端末装置および情報提供者側端末装置に関する。
【０００２】
【従来の技術】
従来のプレゼンス情報は、発信者が着信者の状態を通信を始める前に知って、着信者の迷惑にならない通信手段を選択する場合などに利用されている。これは、例えば通信相手に対し、どのコミュニケーションツール（通信手段）を使用すればよいかを判断するために、その通信相手のユーザＩＤから、通信相手が所持しているコミュニケーションツールの名前およびそのコミュニケーションツールの利用状況を検索するというものである（例えば、特許文献１参照）。
【０００３】
また、相手がコンピュータをインターネットに接続していることを知って、今、メッセージを送ればすぐに読んでもらえるものと考えてメッセージを送信したものの、その相手は離席して席に戻るまでの間、読まれないことがあるという問題を解決するシステムも公開されている。即ち、相手が自席についているかどうか（プレゼンス情報）が分かるようにするシステムが提案されている（例えば、特許文献２参照）。
【０００４】
さらに、移動通信におけるプレゼンス機能は、通信相手が所持しているコミュニケーションツールや、そのコミュニケーションツールの利用状況等の「ＰＣ周り」についてや、自席に座っているかどうかの「座席」についてだけでなく、もっと細かなことを扱った「生活プレゼンス機能」が加わるとする提案がなされている。また、この提案ではビジネス分野でも、出社すると自動的に出勤簿に○がつく等の「あらゆる場所における状況報告」が無意識に行えるようになると予想している（例えば、非特許文献１参照）。
【０００５】
【特許文献１】
特許第３３０４８８７号公報
【特許文献２】
特開２００２−７３５１２号公報
【非特許文献１】
竹上  慶「モバイル・インスタント・メッセージング・サービス市場の現場と今後」情報通信総合研究書、ＩｎｆｏＣｏｍニュースレター、２００２年５月
【０００６】
【発明が解決しようとする課題】
前記のとおり、従来のプレゼンス情報は、自分がこれから行う通信を補完するかたちで使われていたり、自分の報告の手間を省くことに使われているにすぎない。つまり、プレゼンス情報を自分が行う通信から切り離し、また自分のためからも切り離して、独立した情報として第三者が利用できるように取り組みはなされていない。
【０００７】
本発明は前記のような従来の問題を解決するものであり、プレゼンス情報を自分が行う通信から切り離し、自分のためからも切り離し、独立した情報として第三者が活用できるようにするプレゼンス情報利用方法、情報利用者側端末装置および情報提供者側端末装置を提供することを目的とする。
【０００８】
また、本発明は、プレゼンス情報を特定の第三者が利用できるようにし、特に第三者に情報を提供するときの課題となる情報提供者の秘匿性に配慮したプレゼンス情報利用方法、情報利用者側端末装置および情報提供者側端末装置を提供することを目的とする。
【０００９】
【課題を解決するための手段】
前記目的達成のために、請求項１の発明にかかるプレゼンス情報利用方法は、情報利用者側端末装置が情報提供者側端末装置の開示したプレゼンス情報を通信ネットワークを介して利用するプレゼンス情報利用方法であって、情報利用者側端末装置は、情報提供者を募集する広告および案内を情報提供者側端末装置へ送信する広告／案内ステップと、情報提供者側端末装置と連携して応募受信および契約を支援する応募受信／契約ステップと、契約後に情報提供者側端末装置から送信される情報提供者のプレゼンス情報を受信するプレゼンス情報受信ステップと、受信した前記プレゼンス情報の蓄積または統計処理を行うプレゼンス情報蓄積または統計処理ステップと、統計処理の結果に従って受信したプレゼンス情報に対する報酬の支払を支援する料金処理ステップと、を実施することを特徴とする。
【００１０】
これにより、情報利用者側端末装置は募集に応募してきた情報提供者のプレゼンス情報について統計処理を行って、そのプレゼンス情報の必要度、重要度に応じた報酬の支払を、情報提供者に対して実施できる。
【００１１】
また、請求項２の発明にかかるプレゼンス情報利用方法は、情報提供者側端末装置が開示した情報提供者のプレゼンス情報を通信ネットワークを介して情報利用者側端末装置に利用させるプレゼンス情報利用方法であって、情報提供者側端末装置は、情報利用者側端末装置からの広告および案内に対して応募および契約を支援する応募／契約ステップと、前記契約の内容および情報提供者のプレゼンス対象情報にもとづきプレゼンス情報を生成するプレゼンス情報生成ステップと、生成されたプレゼンス情報を情報利用者側端末装置へ送信するプレゼンス情報送信ステップと、を実施することを特徴とする。
【００１２】
これにより、情報提供者側端末装置では、情報利用者側端末装置の広告や案内に応募し、プレゼンス情報を生成して情報利用者側端末装置へ提供した場合に、その提供した情報の必要度および重要度に応じた報酬の支払を受けることができる。
【００１３】
また、請求項３の発明にかかるプレゼンス情報利用方法は、前記プレゼンス情報が、情報提供者の人情報、位置情報、行動情報、趣味情報および気持ち情報などの項目を含むことを特徴とする。
【００１４】
これにより、情報提供者自身の人情報、位置情報、行動情報、趣味情報および気持ち情報のいずれをも商取引の対象として、経済的価値を生むことができる。
【００１５】
また、請求項４の発明にかかるプレゼンス情報利用方法は、前記プレゼンス情報の複数の項目のうち、一部の項目が簡略化されることを特徴とする。
【００１６】
これにより、特に重要でないプレゼンス情報では、抽象化レベルの高い情報を料金決定のための統計処理の対象としないようにすることができる。
【００１７】
また、請求項５の発明にかかるプレゼンス情報利用方法は、前記プレゼンス情報が、意味的に複数段のレベルに分けて抽象化されて生成されることを特徴とする。
【００１８】
これにより、開示されたプレゼンス情報の抽象化レベルに応じた報酬を決定することができる。
【００１９】
また、請求項６の発明にかかるプレゼンス情報利用方法は、前記プレゼンス情報中の情報提供者の人情報が、匿名化されて生成されることを特徴とする。
【００２０】
これにより、プレゼンス情報として実名を開示する場合に比べて個人情報の流出を抑えることができ、また、情報提供者に対する報酬を少なく抑えることができる。
【００２１】
また、請求項７の発明にかかるプレゼンス情報利用方法は、報酬支払の料金処理では、プレゼンス対象情報の各項目ごとに、プレゼンス対象情報の抽象化レベル、匿名化の有無または情報利用者の情報提供要求度に応じた重み付けに従って、単位料金を決めることを特徴とする。
【００２２】
これにより、プレゼンス情報の開示レベルに対応して、情報利用者の要求または希望に合った報酬を情報提供料として決定することができる。
【００２３】
また、請求項８の発明にかかるプレゼンス情報利用方法は、前記報酬支払の料金処理では、プレゼンス対象情報の各項目ごとの単位料金にプレゼンス情報の開示時間および更新頻度を乗算し、各項目ごとの乗算結果を合算して情報提供料を決定することを特徴とする。
【００２４】
これにより、情報開示時間および更新頻度に見合った報酬を情報提供料として決定することができる。
【００２５】
また、請求項９の発明にかかる情報利用者側端末装置は、情報提供者側端末装置の開示したプレゼンス情報を通信ネットワークを介して利用する情報利用者側端末装置であって、情報提供者を募集する広告および案内を情報提供者側端末装置へ送信する広告／案内手段と、情報提供者側端末装置と連携して応募受信および契約を支援する応募受信／契約手段と、情報提供者側端末装置から送信される情報提供者のプレゼンス情報を受信するプレゼンス情報受信手段と、受信した前記プレゼンス情報蓄積または統計処理を行うプレゼンス情報の蓄積または統計処理手段と、統計処理の結果に従って受信したプレゼンス情報に対する報酬の支払を支援する料金処理手段と、を備えたことを特徴とする。
【００２６】
これにより、広告／案内手段から送信した広告および案内に応募した情報提供者と、情報提供者側端末装置を介してプレゼンス情報提供についての契約を交わし、情報提供者から提供されたプレゼンス情報の品質等について統計処理手段により統計処理を行った上で、料金処理手段にてそのプレゼンス情報に応じた報酬料金を自動的に決定することができる。
【００２７】
また、請求項１０の発明にかかる情報提供者側端末装置は、情報提供者のプレゼンス情報を開示して通信ネットワークを介して情報利用者側端末装置に利用させる情報提供者側端末装置であって、情報利用者側端末装置からの広告および案内に対する応募および契約を支援する応募／契約手段と、前記契約の内容および情報提供者のプレゼンス対象情報にもとづきプレゼンス情報を生成するプレゼンス情報生成手段と、生成されたプレゼンス情報を情報利用者端末へ送信するプレゼンス情報送信手段と、を備えたことを特徴とする。
【００２８】
これにより、情報利用者側端末装置と交わした契約にもとづき、プレゼンス情報を生成して、これを情報利用者側端末装置に送信でき、この結果、そのプレゼンス情報に応じた報酬料金を情報利用者側から受け取ることができる。
【００２９】
【発明の実施の形態】
以下、本発明にかかるプレゼンス情報利用方法の実施の形態を、図面を参照して詳細に説明する。
【００３０】
図２はプレゼンス情報利用方法を実施するためのプレゼンス情報利用システムを示す概念図である。
【００３１】
このプレゼンス情報利用システムは、移動体通信を含む通信ネットワーク１０と、プレゼンス情報提供者５１の情報提供者側端末装置２４，２５と、プレゼンス情報利用者６１の情報利用者側端末装置３２とから構成され、全ての端末装置２４，２５，３２は通信ネットワーク１０に接続されている。そして、情報提供者側端末装置２４，２５はプレゼンス情報生成手段２４５，２５４を持ち、情報利用者側端末装置３２はプレゼンス情報蓄積または統計処理手段３２５および料金処理手段３２６を持っている。
【００３２】
図１は前記各端末装置２４，２５，３２の内部構成を詳細に示すブロック図である。ここでは、通信ネットワーク１０が省かれている。
【００３３】
情報提供側端末装置２４は、広告／案内受信手段２４１、応募／契約手段２４２、契約内容蓄積手段２４３、プレゼンス対象情報蓄積手段２４４、プレゼンス情報生成手段２４５およびプレゼンス情報送信手段２４６を有する。
【００３４】
これらのうち、広告／案内受信手段２４１は情報利用者側端末装置３２からの広告や案内情報を受信するように機能し、応募／契約手段２４２は情報利用者との間でプレゼンス情報について応募、契約をするように機能する。また、プレゼンス情報生成手段２４５は前記契約の内容およびプレゼンス対象情報とにもとづいてプレゼンス情報を生成するように機能する。また、プレゼンス情報送信手段２４６はプレゼンス情報生成手段２５４で生成されたプレゼンス情報を情報利用者側端末装置３２へ送信するように機能する。
【００３５】
また、前記情報提供者側端末装置２５は、情報提供側端末装置２４におけるものと同様の構成、機能を持つ契約内容蓄積手段２５１、プレゼンス対象情報蓄積手段２５２、プレゼンス情報生成手段２５４およびプレゼンス情報送信手段２５５に加えて、外部のセンサ２３の出力情報を蓄積するセンサ情報の蓄積手段２５３を備えている。
【００３６】
一方、前記情報利用者側端末装置３２は、広告案内手段３２１、応募受信／契約手段３２２、契約内容の蓄積手段３２３、プレゼンス情報受信手段３２４、前記プレゼンス情報蓄積または統計処理手段３２５、および前記料金処理手段３２６を備えている。
【００３７】
これらのうち、広告／案内手段３２１は情報利用者側端末装置３２が情報提供者側端末装置２４に対し広告や案内を送信する機能を有し、応募受信／契約手段３２２は情報提供者側端末装置２４と連携して応募や契約を支援するように機能する。プレゼンス情報蓄積または統計処理手段３２５は、情報提供者側端末装置２４，２５の各プレゼンス情報送信手段２４６，２５５から送信されたプレゼンス情報を受けて、これを蓄積および統計処理するように機能する。料金処理手段３２６は統計処理結果等にもとづき、プレゼンス情報提供者５１に対する報酬の支払を支援するように機能する。なお、この報酬の支払は、日本銀行券、ネットマネー、ポイント等により可能となる。
【００３８】
図３はプレゼンス情報を説明する図である。図３（ａ）は、プレゼンス情報の概念を現しており、プレゼンス情報提供者の物理空間に関する情報を現在のみならず過去、未来にわたって対象にすることを示している。図３（ｂ）は、現在のプレゼンス情報例を具体的に示したものである。プレゼンス情報には気持ち、位置情報、体重／脈拍／血圧等の生体情報が含まれている。ここでプレゼンス対象情報としたのは、後に説明するプレゼンス情報の抽象化との関連から、その抽象化の元になる（対象になる）情報という意味で対象情報とした。従って、抽象化しない場合はプレゼンス対象情報＝プレゼンス情報となる。
【００３９】
図４は情報提供者側端末装置２４，２５内の各プレゼンス情報の生成手段２４５，２５４によるプレゼンス情報の生成方法を示す説明図である。
【００４０】
図４（ａ）は情報の項目の簡略化および抽象化の例を示している。簡略化については湿度および使用道具の２項目が項目の簡略化を行うときの対象項目であることを示している。抽象化については、Ｌ０〜Ｌ３までの４段階に分けた例を示している。Ｌ０はプレゼンス対象情報そのものであり、抽象化の程度が最も低く、Ｌ３は抽象化の程度が最も高くなっている。図４（ｂ）は匿名化の例である。氏名をＭ子、住所をＭ市としている。
【００４１】
図５は料金処理を説明する図である。項目例として体重、位置情報、行動の３項目をとりあげている。処理には単位料金の処理と料金の処理がある。
【００４２】
まず、単位料金の処理について説明する。単位料金の「基本」は、現在、過去、未来のいずれの情報を対象にする場合でも１Ｐであるとし、ここでは現在をとりあげている。「重みづけ」は、プレゼンス情報利用者が情報の提供を強く望む項目であり、ここでは体重が該当し該当項目の単位料金を１０倍にしている。「抽象化」は、図４のＬ０〜Ｌ３のどの段階を選択したかであり、Ｌ０の場合は単位料金が１０倍、Ｌ１は１倍、Ｌ２は０．５倍、Ｌ３は０．１倍になるとし、ここではＬ１を選択している。
【００４３】
図５において、「匿名化」は、匿名化しない、即ち実名の場合は単位料金が１０倍、匿名化は１倍であるとし、ここでは匿名化を行っている。前記の結果体重の単位料金は１０Ｐに、位置情報と行動の単位料金は１Ｐになる。
【００４４】
次に、料金の処理について説明する。開示期間料金は１時間１単位料金であるとし、本例では１０時間開示した場合を示している。また更新頻度料金は１回１単位料金であるとし、ここでは体重が１回、位置情報が１０回、行動が２０回更新している。この結果開示期間料金は１２０Ｐに、更新頻度料金は４０Ｐになり、合計１６０Ｐとなる。
【００４５】
図６は前記プレゼンス情報利用システムの動作を示すフローチャートである。以下、このフローチャートを参照してプレゼンス情報利用の手順を説明する。
【００４６】
まず、プレゼンス情報利用者６１は情報利用者側端末装置３２の広告／案内手段３２１を通じて情報提供者側端末装置２４に対しプレゼンス情報提供の広告および案内を送信する（ステップＳ３０１）。情報提供者側端末装置２４はこれらの広告および案内を広告／案内受信手段２４２にて受信し、応募／契約手段２４２を通じて情報利用者側端末装置３２との間で応募および契約を交わす（ステップＳ３０２，Ｓ３０３）。これらの契約の内容は、各端末装置２４，３２の契約内容蓄積手段２４３，３２３およびそれぞれ蓄積される。
【００４７】
一方、情報提供者側端末装置２４では、前記契約内容とプレゼンス対象情報蓄積手段２４０から得られたプレゼンス対象情報とから、プレゼンス情報生成手段２４５がプレゼンス情報を生成する（ステップＳ３０４）。ここでは、プレゼンス対象情報の項目の前記簡略化および抽象化が行われる。こうして情報提供者側端末装置２４で生成されたプレゼンス情報は、プレゼンス情報送信手段２４６を通じて情報利用者側端末装置３２に送信され（ステップＳ３０５）、プレゼンス情報受信手段３２４にて受信される。
【００４８】
また、情報利用者端末装置３２では、プレゼンス情報蓄積または統計手段３２５がプレゼンス情報の蓄積または統計処理を行い（ステップＳ３０６）、続いて、料金処理手段３２６が料金処理を行う（ステップＳ３０７）。そして、契約期間内であれば、ステップＳ３０４の処理に戻り（ステップＳ３０８）、契約満了であれば料金処理手段３２６にて所定の料金情報による料金処理を行って（ステップＳ３０７）、プレゼンス情報提供者５１に対し報酬の支払を行う（ステップＳ３０９）。
【００４９】
また、ステップＳ３０７にあっては、情報の項目数、重みづけ、抽象化、開示期間、更新頻度に応じた料金処理を行うことになる。なお、前記実施の形態では、前記プレゼンス情報を人に関するプレゼンス情報として説明したが、車や自販機などに関するプレゼンス情報の場合にも同様に適用できる。
【００５０】
【発明の効果】
本発明によれば、情報利用者側端末装置では、広告や案内に応募した情報提供者のプレゼンス情報を統計処理することで利用し、情報の必要性や重要性等に応じた報酬の支払を情報提供者に対して行うことができ、一方、情報提供者側端末装置では、前記応募を行い、秘匿性に配慮したプレゼンス情報を情報利用者側端末装置へ提供したことで、報酬の支払を受けることができる。このプレゼンス情報は、情報利用者側が市場におけるマーケティングや商品開発のための利用のほか、商品として、あるいは高齢社会における介護者人の安否情報としての活用も可能になる。
【００５１】
本発明は、情報提供側端末装置が提供するプレゼンス情報の抽象化およびプレゼンス情報提供者の匿名化等に応じて、情報利用側端末装置がプレゼンス情報の統計処理および料金処理を行い、情報提供者にプレゼンス情報の重要度、必要度に応じた報酬の支払を行うという用途に適用できる。
【図面の簡単な説明】
【図１】本発明の実施の形態によるプレゼンス情報利用方法を実現するプレゼンス情報利用システムを示すブロック図
【図２】図１に示すプレゼンス情報利用システムの概念図
【図３】本発明におけるプレゼンス情報の概念および内容を示す説明図
【図４】本発明におけるプレゼンス情報の生成内容を示す説明図
【図５】本発明における料金処理手段による料金処理の内容を示す説明図
【図６】本発明によるプレゼンス情報利用の手順を示すフローチャート
【符号の説明】
１０…通信ネットワーク、２４，２５…情報提供者側端末装置、３２…情報利用者側端末装置、２４２…応募／契約手段、２４５，２５４…プレゼンス情報生成手段、２４６，２５５…プレゼンス情報送信手段、３２１…広告／案内手段、３２２…応募受信／契約手段、３２４…プレゼンス情報受信手段、３２５…プレゼンス情報蓄積または統計処理手段、３２６…料金処理手段。
【図１】
2005031966.tif 000003
【図２】
2005031966.tif 000004
【図３】
2005031966.tif 000005
【図４】
2005031966.tif 000006
【図５】
2005031966.tif 000007
【図６】
2005031966.tif 000008